(57)【特許請求の範囲】
【請求項１】
少なくとも糊代片、後パネル、天パネル、前パネル、底パネル、延長パネルを、折れ線を介して順次連設してなるブランクを折り曲げて略四角形の前記延長パネルを前記後パネルの領域内に重ね合わせてなる偏平状のカートンであって、
前記延長パネルが少なくとも前記底パネル側を長辺、対向する辺の一部を短辺とする台形の支持部と、該支持部の両斜辺に折れ線を介して略三角形の補強部とからなり、該補強部の前記底パネル側と対向する辺に補強片をそれぞれ設け、前記補強部の他の辺である側辺の外方端部と前記補強片の前記側辺側の辺に亘ってそれぞれ係止突起を設け、前記後パネルに前記係止突起を差し込む差し込み口を設け、前記延長パネルを前記後パネルに部分的又は剥離可能に圧接固定して形成し、前記延長パネルを剥がして前記補強部を内側に折り曲げるとともに前記補強片を折り曲げ、前記係止突起を前記差し込み口に差し込み、前記補強部を固定し、前記支持部を平面上に置き、自立性カートン本体を傾斜した状態で保持することを特徴とする自立性カートン。
【請求項２】
前記カートンの上部に開口用のミシン目または開口用のジッパーを設けたことを特徴とする請求項１に記載の自立性カートン。
【請求項３】
前記開口用のミシン目または前記開口用のジッパーをカートンに収納される内容物であるパウチに形成された開封ノッチに対向するように設けたことを特徴とする請求項２に記載の自立性カートン。
【発明の詳細な説明】
【０００１】
【発明の属する技術分野】
本発明は、自立性カートンに関するものである。
【０００２】
【従来の技術】
従来より、偏平状のカートンは自立性に乏しく、店頭などでのディスプレイ効果に欠けている。この偏平状のカートンを自立するために、別の部材を衝立て具として利用したり、種々の複雑な形態のカートンが工夫されている。
【０００３】
【発明が解決しようとする課題】
しかしながら、従来のカートンでは、別の部材を使用するという煩雑さがあること、また、カートンの形態が複雑であるため製造工程が簡単でなかったり、さらに、カートンの強度を弱めるたりするなどの問題がある。
【０００４】
また、カートンに自立性を持たせることは、ディスプレイ効果を持たせるという以外に、電子レンジ用のパウチを収納するカートンにおいても必要である。調理済みのカレー、スープ類等のレトルト食品と言われる流動性食品等は、レトルトパウチに充填、密封及び加熱殺菌され偏平状のカートンに収納されて販売されているが、このパウチを電子レンジで加熱する場合は、加温による内容物の膨張によるパウチの破裂を避けるなどのために、カートンからパウチを取り出して中身を別の容器に移し替えてから電子レンジで加熱している。この別の容易に移し替えることは、耐熱性のあるパウチを有効に使用していない上、使用者の取り扱いが煩雑であるという問題がある。また、パウチの一部に通気孔を開ける方法もあるが、パウチ自体を電子レンジの中で自立させることは難しく、洩れ出したり、倒れたりする危険があるという問題があり、この点からもパウチを収納した状態のまま電子レンジで加熱を行うことができるようにカートンに自立性を持たせることが必要となっている。
【０００５】
これらの課題に鑑み、本発明は、一般の製造工程で製造することができ、カートンの強度を弱めることなく内容物を収納した状態のままで簡単に自立性を持たせることができる自立性カートンを提供することを目的とするものである。
【０００６】
【課題を解決するための手段】
本発明は前記目的を達成するためになされたもので、少なくとも糊代片、後パネル、天パネル、前パネル、底パネル、延長パネルを、折れ線を介して順次連設してなるブランクを折り曲げて略四角形の前記延長パネルを前記後パネルの領域内に重ね合わせてなる偏平状のカートンであって、前記延長パネルが少なくとも前記底パネル側を長辺、対向する辺の一部を短辺とする台形の支持部と、該支持部の両斜辺に折れ線を介して略三角形の補強部とからなり、該補強部の前記底パネル側と対向する辺に補強片をそれぞれ設け、前記補強部の他の辺である側辺の外方端部と前記補強片の前記側辺側の辺に亘ってそれぞれ係止突起を設け、前記後パネルに前記係止突起を差し込む差し込み口を設け、前記延長パネルを前記後パネルに部分的又は剥離可能に圧接固定して形成し、前記延長パネルを剥がして前記補強部を内側に折り曲げるとともに前記補強片を折り曲げ、前記係止突起を前記差し込み口に差し込み、前記補強部を固定し、前記支持部を平面上に置き、自立性カートン本体を傾斜した状態で保持することを特徴とする自立性カートンである。
【０００７】
また、カートンの上部に開口用ミシン目または開口用ジッパーを設けたことを特徴とする。
【０００８】
本発明によれば、一般の製造工程で製造することができ、カートンの強度を弱めることなく内容物を収納したままで簡単に自立性を持たせることができる自立性カートンを得ることができる。
【０００９】
【発明の実施の形態】
以下に、本発明の自立性カートンの実施の形態について図面を用いて詳しく説明する。なお、幾つかの図面に渡って同一または同様な部分には同一の符号を付けている。ただし、本発明はこれらの実施例に限定されるものではない。
【００１０】
＜実施例１＞
図１は本発明の自立性カートンの一実施例が実際に自立している状態を示す斜視図であり、図２はその側面図である。自立性カートン１は、自立性カートン本体２自体では自立し難い偏平状であり、底パネル１５に連設して支持部２１と一対の補強部２３、２３とからなる衝立て具３を設けている。補強部２３には係止突起２３ａを有しており、その係止突起２３ａ、２３ａを後パネル１２に設けた一対の差し込み口１２ａ、１２ａに差し込み、補強部２３、２３を固定し、自立性カートン本体２を傾斜した状態で保持している。傾斜した状態としては、図２−ａに示すように、支持部２１を平面上に置く場合と、図２−ｂに示すように、支持部２１の上辺と、天パネル１３と後パネル１２との角とを平面上に置く場合とがある。
【００１１】
図３は本発明による自立性カートン１のブランク展開図である。カートンブランク１０は、糊代片１１、後パネル１２、天パネル１３、前パネル１４、底パネル１５、延長パネル１６を折れ線ａ、ｂ、ｃ、ｄ、ｅを介して順次連設している。また、後パネル１２の左右に折れ線ｆ、ｆを介して糊代片１７、１７を連設し、天パネル１３の左右に折れ線ｇ、ｇを介して折り込み片１８、１８を連設し、前パネル１４の左右に折れ線ｈ、ｈを介して側パネル１９、１９を連設し、底パネル１５の左右に折れ線ｉ、ｉを介して折り込み片２０、２０を連設している。
【００１２】
また、延長パネル１６は、支持部２１と係止突起２３ａを有する一対の補強部２３、２３とからなっており、支持部２１と補強部２３、２３とは折れ線ｊ、ｊで連設している。また、図に示すように各補強部２３には折れ線ｌを介して係止突起２４ａを有する補強片２４を連接してもよい。この補強片２４を設けることによって、より強く自立性カートン１を保持することができる。
【００１３】
さらにまた、後パネル１２には、自立性カートン１を自立させる時に、補強部２３の係止突起２３ａおよび補強片２４の係止突起２４ａを差し込み、補強部２３および補強片２４を固定するための一対の差し込み口１２ａ、１２ａを設けている。この差し込み口１２ａ、１２ａは補強部２３の係止突起２３ａを差し込む時はＩ形状野切れ込みとするが、補強片２４の係止突起２４ａが加わった時にはＬ字形状とする。
【００１４】
このカートンブランク１０を組み立てて内容物を収納するには、まず、カートンブランク１０の後パネル１２を折れ線ｂで内側に折り曲げる。つぎに、底パネル１５を折れ線ｄで内側に折り曲げ、糊代片１１と底パネル１５を接着し、同時に延長パネル１６を後パネル１２に部分的に接着し固定する。
【００１５】
この延長パネル１６を後パネル１２に部分的に接着し、剥離する方法としては、一つには、ホットメルト接着剤など再剥離性を有する接着剤を使用する方法、二つには、後パネル１２の表面あるいは延長パネル１６の裏面において接着部分の外周に半切れを入れこの部分から剥がし取ることによって後パネル１２から延長パネル１６を剥がすという方法、そして、三つには、延長パネル１６において、接着部分の外周に切り取り可能な切れ線を設けておき、この切り取り線を切り取り後パネル１２に接着された部分を残して後パネル１２から延長パネル１６を剥がすという方法がある。
【００１６】
このようにして、図４に示すような折り畳まれた状態の自立性カートン１が作成される。この加工工程は従来の製函機において行うことができる。つぎに、充填包装機においてこの折り畳まれた自立性カートン１を筒状に起こして内容物を収納して、折り込み片１８、２０を内側に折り込み、左右の側パネル１９を糊代片１７に接着して密封し、図５に示すような自立する前の状態の自立性カートン１が形成される。
【００１７】
実際に、内容物が収納された自立性カートン１を自立した状態にするには、まず、図６−ａに示すように、延長パネル１６を後パネル１２から剥がす。つぎに、図６−ｂに示すように、左右の補強部２３、２３を内側に折り曲げ、補強片２４、２４も内側に折り曲げる。最後に、図７−ｃに示すように、補強部２３、２３および補強片２４、２４に設けた係止突起２３ａ、２３ａおよび係止突起２４ａ、２４ａを折り曲げた状態で自立カートン本体２の後パネル１２に設けた差し込み口１２ａ、１２ａに差し込み固定することによって衝立て具３が組み立てられる。この衝立て具３の支持部２１を平面上に置くことによって、自立カートン本体２は傾斜した状態で安定して保持される。
【００１８】
＜実施例２＞
図７は本発明の自立性カートンの別の実施例が実際に自立している状態を示す斜視図であり、図８はそのカートンブランクの展開図である。自立性カートン１ａは、自立性カートン１と同様に、自立性カートン本体２自体では自立し難い偏平状であり、底パネル１５に連設して支持部２１と一対の補強部２３、２３とからなる衝立て具３を設けている。
【００１９】
カートンブランク１０ａは、カートンブランク１０と同様に、糊代片１１、後パネル１２、天パネル１３、前パネル１４、底パネル１５、延長パネル１６を折れ線ａ、ｂ、ｃ、ｄ、ｅを介して順次連設している。また、後パネル１２の左右に折れ線ｆ、ｆを介して糊代片１７、１７を連設し、天パネル１３の左右に折れ線ｇ、ｇを介して折り込み片１８、１８を連設し、前パネル１４の左右に折れ線ｈ、ｈを介して側パネル１９、１９を連設し、底パネル１５の左右に折れ線ｉ、ｉを介して折り込み片２０、２０を連設している。
【００２０】
カートンブランク１０と異なる点は、延長パネル１６が、支持部２１、係止突起２３ａを有する一対の補強部２３、２３、そして接着部２２とからなっており、支持部２１と補強部２３、２３とは折れ線ｊ、ｊで連接し、支持部２１と接着部２２との切れ線ｋは切り取りやすいようにミシン目、半切れ、リード罫などで連設している。また、接着部２２には凹部２２ａを設けて、支持部２１を接着部２２から切り取る時に、支持部２１を指で摘みやすくしている。
【００２１】
このカートンブランク１０ａを組み立てて内容物を収納するには、まず、カートンブランク１０ａの後パネル１２を折れ線ｂで内側に折り曲げる。つぎに、底パネル１５を折れ線ｄで内側に折り曲げ、糊代片１１と底パネル１５を接着し、同時に延長パネル１６の接着部２２を後パネル１２に接着し固定する。このようにして、図９に示すような折り畳まれた状態の自立性カートン１ａが作成される。この加工工程は従来の製函機において行うことができる。つぎに、充填包装機においてこの折り畳まれた自立性カートン１ａを筒状に起こして内容物を収納して、折り込み片１８、２０を内側に折り込み、左右の側パネル１９を糊代片１７に接着して密封し、図１０に示すような自立する前の状態の自立性カートン１ａが形成される。
【００２２】
実際に、内容物が収納された自立性カートン１ａを自立した状態にするには、まず、図１１−ａに示すように、延長パネル１６の支持部２１を接着部２２から切り取る。つぎに、図１１−ｂに示すように、左右の補強部２３、２３を内側に折り曲げ、補強片２４、２４も内側に折り曲げる。最後に、図１１−ｃに示すように、補強部２３、２３および補強片２４、２４に設けた係止突起２３ａ、２３ａおよび係止突起２４ａ、２４ａを折り曲げた状態で自立カートン本体２の後パネル１２に設けた差し込み口１２ａ、１２ａに差し込み固定することによって衝立て具３が組み立てられる。この衝立て具３の支持部２１を平面上に置くことによって、自立カートン本体２は傾斜した状態で安定して保持される。
【００２３】
＜実施例３＞
図１２は、本発明の自立性カートンのさらに別の実施例を示す斜視図であり、図１３は、そのカートンブランクを示す展開図である。図１２に示すように、自立性カートン本体２の上部を部分的に切り取り線で切り取り、内容物４の一部を外に見せることもできる。
【００２４】
図１３のカートンブランク１０ｂに示すように、前パネル１４、両側パネル１９、１９、後パネル１２、両糊代片１７、１７に渡って開口用の切り取り線としてジッパー５を設けている。この開口用のジッパー５を切り裂いて自立性カートン１ａの上部を切り取ることによって、カートンを自立させると同時に、内容物４の一部を外に露出することができ、ディスプレイ効果のある自立性カートン１ａを形成することができる。
【００２５】
＜実施例４＞
図１４は、本発明の自立性カートンのさらに別の実施例を示す斜視図であり、図１５は、そのカートンブランクの展開図を示す図である。本実施例は、電子レンジ用のパウチ４Ｐを収納する自立性カートン１ｂであり、図９に示すように、パウチ４Ｐを収納する偏平状で横長のカートンであり、底パネル１５から支持部２１と補強部２３と補強片２４、２４とからなる衝立て具３を連設している。補強部２３には係止突起２３ａを、補強片２４には係止突起２４ａを有しており、その係止突起２３ａ、２３ａおよび係止突起２４ａ、２４ａを後パネル１２に設けた差し込み口１２ａ、１２ａに差し込み、補強部２３、２３および補強片２４、２４を固定し、自立性カートン本体２を傾斜した状態で保持している。
【００２６】
パウチ４Ｐには、調理済みのカレー、スープ類などのレトルト食品が充填され、その上端の一側に開封用のノッチ６が設けられている。また、図１０のブランクの展開図に示すように、このパウチ４Ｐのノッチ６に対向する自立性カートン１ｂの上部分の一側部には開口用のミシン目７が設けられている。
【００２７】
上記実施例の内部に収納されているパウチ４Ｐを電子レンジで加熱する場合には、自立性カートン本体２の開口用のミシン目７を切り取って除去し、パウチ４Ｐの開封用のノッチ６を開封した後、延長パネル１６の支持部２１を接着部２２から切り取る。つぎに、左右の補強部２３を内側に折り曲げ、補強片２４も内側に折り曲げる。最後に、補強部２３および補強片２４に設けた係止突起２３ａおよび係止突起２４ａを折り曲げた状態で自立カートン本体２の後パネル１２に設けた差し込み口１２ａに差し込み固定することによって衝立て具３が組み立てられる。この衝立て具３の支持部２１を電子レンジの中のターンテーブルの平面上に置くことによって、電子レンジの中で自立カートン本体２は傾斜した状態で安定して保持されて加熱される。また加熱された後はパウチ４Ｐを自立性カートン１ｂに収納したまま持ってこれを取出して開封用のノッチ６で開封された開口部から充填物を皿等に移し換えることができる。また、ジッパー８を切り取ることにより、パウチ４Ｐを取り出すことができる。
【００２８】
【発明の効果】
本発明によれば、簡単に自立性をもたせることができ、カートンの強度を弱めることのない自立性カートンを得ることができる。
【００２９】
すなわち、自立性があり、そして開口部から内容物を見せることにより、ディスプレイ効果を持たせることができる。
【００３０】
また、電子レンジ用パウチを収納したカートンにおいて、電子レンジの中でパウチをカートンに収納したままで、簡単に衝立て具を組み立てることができ、自立した状態で加熱することができる。しかも、使用前においては、カートンの後パネルに延長パネルとして部分的に接着し固定しており、運搬、保管などにおいては、一般のカートンと同様に扱うことができる。
【００３１】
さらに、パウチの開封ノッチに対向する本発明の自立性カートンの対向する部分に開口用ミシン目またはジッパーを設け、開口することによって、開口部でパウチの開封ノッチの開口が簡易にでき、加熱調理後の扱いが容易にできる。
【図面の簡単な説明】
【図１】本発明の自立性カートンの一実施例が実際に自立している状態を示す斜視図である。
【図２】図１の自立性カートンの側面図である。
【図３】図１の自立性カートンのカートンブランクの展開図である。
【図４】図１の自立性カートンの折り畳まれた状態を示す平面図であある。
【図５】図１の自立性カートンに内容物が充填された状態の斜視図である。
【図６】図１の自立性カートンを実際に組み立てる過程を示す図である。
【図７】本発明の自立性カートンの別の実施例が実際に自立している状態を示す斜視図である。
【図８】図７の自立性カートンのカートンブランクの展開図である。
【図９】図１の自立性カートンの折り畳まれた状態を示す平面図であある。
【図１０】図１の自立性カートンに内容物が充填された状態の斜視図である。
【図１１】図１の自立性カートンを実際に組み立てる過程を示す図である。
【図１２】本発明の自立性カートンのさらに別の実施例が実際に自立している状態を示す斜視図である。
【図１３】図１２の自立性カートンのカートンブランクの展開図である。
【図１４】本発明の自立性カートンのさらに別の実施例が実際に自立している状態を示す斜視図である。
【図１５】図１４の自立性カートンのカートンブランクの展開図である。
【符号の説明】
１    自立性カートン
１ａ  自立性カートン
１ｂ  自立性カートン
１ｃ  自立性カートン
２    自立性カートン本体
３    衝立て具
４    内容物
４Ｐ  パウチ（内容物）
５    ジッパー
６    ノッチ
７    ミシン目
８    ジッパー
１０    カートンブランク
１０ａ  カートンブランク
１０ｂ  カートンブランク
１０ｃ  カートンブランク
１１    糊代片
１２    後パネル
１３    天パネル
１４    前パネル
１５    底パネル
１６    延長パネル
１７    糊代片
１８    折り込み片
１９    側パネル
２０    折り込み片
２１    支持部
２２    接着部
２３    補強部
２３ａ  係止突起
２４    補強片
２４ａ  係止突起
ａ〜ｋ  折れ線
ｌ    切れ線
【図１】
0004592859.tif 000002
【図２】
0004592859.tif 000003
【図３】
0004592859.tif 000004
【図４】
0004592859.tif 000005
【図５】
0004592859.tif 000006
【図６】
0004592859.tif 000007
【図７】
0004592859.tif 000008
【図８】
0004592859.tif 000009
【図９】
0004592859.tif 000010
【図１０】
0004592859.tif 000011
【図１１】
0004592859.tif 000012
【図１２】
0004592859.tif 000013
【図１３】
0004592859.tif 000014
【図１４】
0004592859.tif 000015
【図１５】
0004592859.tif 000016